(57)【要約】      （修正有）【課題】部品点数の増大を抑制しつつ複数の光源光を合成できる光源装置及び該光源装置を備えた投写型表示装置を提供する。【解決手段】光源装置１は、ピーク波長が同一のレーザー光をそれぞれ出力する複数の光源から成る第１の光源群１ａ及び第２の光源群１ｂと、第１の光源群１ａから出力されたレーザー光を反射して光路を変更する第１の反射ミラーＭ１と、第２の光源群１ｂから出力されたレーザー光を第１の反射ミラーＭ１で反射された第１の光源群１ａから出力された光と同じ方向へ反射し、第１の反射ミラーＭ１で反射された第１の光源群１ａから出力されたレーザー光を透過させることで、第１の光源群１ａから出力されたレーザー光と第２の光源群１ｂから出力されたレーザー光とを合成するストライプ状ミラーＳ−Ｍとを有する。【選択図】図１
2017173356.tif 000002
【特許請求の範囲】
【請求項１】
ピーク波長が同一のレーザー光をそれぞれ出力する複数の光源から成る第１の光源群及び第２の光源群と、
前記第１の光源群から出力されたレーザー光を反射して光路を変更する第１の反射ミラーと、
前記第２の光源群から出力されたレーザー光を前記第１の反射ミラーで反射された前記第１の光源群から出力されたレーザー光と同じ方向へ反射し、前記第１の反射ミラーで反射された前記第１の光源群から出力されたレーザー光を透過させることで、前記第１の光源群から出力されたレーザー光と前記第２の光源群から出力されたレーザー光とを合成するストライプ状ミラーと、
を有する光源装置。
【請求項２】
請求項１に記載の光源装置において、
前記ストライプ状ミラーは、前記レーザー光を透過させる複数の透過面と、前記レーザー光を反射する複数の反射面とが交互に配置され、
前記第１の光源群から出力されたレーザー光が前記透過面に照射され、前記第２の光源群から出力されたレーザー光が前記反射面に照射されるように、前記第１の光源群、前記第２の光源群、前記第１の反射ミラー及び前記ストライプ状ミラーが配置された光源装置。
【請求項３】
請求項１または２に記載の光源装置において、
前記第１の光源群から出力されたレーザー光を前記第１の反射ミラーの方向へ反射する複数の第２の反射ミラーから成る第１の反射ミラー群と、
前記第２の光源群から出力されたレーザー光を前記ストライプ状ミラーの方向へ反射する複数の第２の反射ミラーから成る第２の反射ミラー群と、
をさらに有する光源装置。
【請求項４】
請求項３に記載の光源装置において、
前記第１の光源群及び第２の光源群から出力された複数のレーザー光は断面が楕円状であり、
前記断面が楕円状から成る前記複数のレーザー光の短軸が、前記ストライプ状ミラーの透過面及び反射面の配列方向の幅にそれぞれ納まるように、前記第１の光源群、前記第１の反射ミラー群、前記第２の光源群、前記第２の反射ミラー群、前記第１の反射ミラー及び前記ストライプ状ミラーが配置された光源装置。
【請求項５】
請求項１から４のいずれか１項に記載の光源装置と、
前記光源装置から出力された白色光を色分離する色分離手段と、
前記色分離手段で色分離された各色光を映像信号にしたがって光変調することでカラー映像が形成する映像形成素子と、
前記映像形成素子で光変調された各色光を合成して投写する投写光学系と、
を有する投写型表示装置。
【発明の詳細な説明】
【技術分野】
【０００１】
本発明は光源装置及び該光源装置を備える投写型表示装置に関する。
【背景技術】
【０００２】
カラー映像を投写する投写型表示装置（プロジェクター）では、高速に回転するカラーホイールやフィリップスプリズム等を用いて光源から出力された白色光を赤、緑、青の三原色の色光に分離し、分離された各色光をそれぞれ映像信号にしたがって光変調することでカラー映像を形成する方式が知られている。光変調に用いる映像形成素子には、液晶パネルやＤＭＤ（Digital Micro-mirror Device：登録商標）等が用いられる。
【０００３】
上述した投写型表示装置では、従来、高輝度な放電ランプ等を光源に用いる構成が主流であった。しかしながら、近年は光源の長寿命化や低消費電力化等を実現するため、ＬＤ（Laser Diode：レーザーダイオード）やＬＥＤ（Light Emitting Diode）等の半導体素子を光源に用いた投写型表示装置が開発されている。
【０００４】
光源としてＬＥＤやＬＤを用いる場合、該ＬＥＤやＬＤは、通常、単一波長光しか出力できない。そのため、光源から出力された所定の色光を励起光として蛍光体に照射し、該光源から直接得られない色光をそれぞれ蛍光体で発光させる構成がある。例えば、青色のレーザー光を発光する青色ＬＤを光源に用いる場合、蛍光体で赤色光や緑色光を発光させる。
【０００５】
なお、蛍光体は、発光する色光によって（蛍光体の種類によって）発光効率が異なるため、蛍光体の種類を減らすことで蛍光体の発光効率の差異による影響を低減した構成もある。例えば、青色のレーザー光を励起光に用いて赤色光及び緑色光を生成する場合、赤色光と緑色光とを個別の蛍光体で発光させるのはなく、赤色と緑色の成分を含む黄色光を発光する蛍光体を用いる。以下では、光源や蛍光体等を備えた、映像の投写に必要な白色光を出力する装置を「光源装置」と称す。
【０００６】
上述した光源にＬＤを用いる構成において、光源装置から高輝度な光を出力させるには、ＬＤの数を増やして光出力（光パワー）を大きくする必要がある。しかしながら、ＬＤ数を増やすと多数のＬＤから成る光源群が大きくなり、ＬＤ数に比例して光源群から出力される光束の断面積も大きくなる。したがって、各ＬＤから出力されるレーザー光の光路上に配置する光学部品（レンズやミラー等）も大きくなり、該光学部品や光源群を含む光源装置も大きくなってしまう。
【０００７】
そこで、多数のＬＤを備えることで高光出力を実現すると共に、各ＬＤから出力されるレーザー光の合成後の光束の断面積を小さくして、光源装置が大きくなるのを抑制した構成が特許文献１で提案されている。
【先行技術文献】
【特許文献】
【０００８】
【特許文献１】特開２０１２−２３０４０３号公報
【発明の概要】
【発明が解決しようとする課題】
【０００９】
上述した特許文献１に記載された構成では、格子状に配置された多数のＬＤから出力されるレーザー光を、該格子の各行及び各列に対応して配置された複数の反射ミラーでそれぞれ反射させて合成する。このとき、反射光の行間隔及び列間隔がそれぞれ狭くなるように各反射ミラーを配置することで、各ＬＤから出力されるレーザー光を合成した合成光の光束の断面積を小さくしている。
【００１０】
しかしながら、特許文献１に記載された構成では、光源装置のさらなる高光出力を実現するためにＬＤ数を増やすと、該ＬＤ数に比例して反射ミラー数も増えてしまう。その場合、光源装置に大量の光学部品（反射ミラー）が必要となり、それらを固定するための機構も必要になるため、部品数が大幅に増大する。部品数の増大は、光源装置の小型化の障害となり、また製品寿命の短縮化も招くため、好ましくない。
【００１１】
本発明は上述したような背景技術が有する課題を解決するためになされたものであり、部品点数の増大を抑制しつつ複数の光源光を合成できる光源装置及び該光源装置を備えた投写型表示装置を提供することを目的とする。
【課題を解決するための手段】
【００１２】
上記目的を達成するため本発明の光源装置は、ピーク波長が同一のレーザー光をそれぞれ出力する複数の光源から成る第１の光源群及び第２の光源群と、
前記第１の光源群から出力されたレーザー光を反射して光路を変更する第１の反射ミラーと、
前記第２の光源群から出力されたレーザー光を前記第１の反射ミラーで反射された前記第１の光源群から出力されたレーザー光と同じ方向へ反射し、前記第１の反射ミラーで反射された前記第１の光源群から出力されたレーザー光を透過させることで、前記第１の光源群から出力されたレーザー光と前記第２の光源群から出力されたレーザー光とを合成するストライプ状ミラーと、
を有する。
【００１３】
一方、本発明の投写型表示装置は、上記光源装置と、
前記光源装置から出力された白色光を色分離する色分離手段と、
前記色分離手段で色分離された各色光を映像信号にしたがって光変調することでカラー映像が形成する映像形成素子と、
前記映像形成素子で光変調された各色光を合成して投写する投写光学系と、
を有する。
【発明の効果】
【００１４】
本発明によれば、部品点数の増大を抑制しつつ複数の光源光を合成できる光源装置が得られる。
【図面の簡単な説明】
【００１５】
【図１】本発明の光源装置の一構成例を示す模式図である。
【図２】図１に示したストライプ状ミラーの小型化を実現する第２の光源群の一構成例を示す模式図である。
【図３】図２に示した反射ミラーに対するレーザー光の入射形状の一例を示す模式図である。
【図４】図１に示したストライプ状ミラーに対する各レーザー光の入射光の配置例を示す模式図である。
【図５】本発明の光源装置の変形例を示す模式図である。
【発明を実施するための形態】
【００１６】
次に本発明について図面を用いて説明する。
図１は本発明の光源装置の一構成例を示す模式図である。
図１は、投写型表示装置が備える光源装置の一例を示している。本発明の光源装置は、図１に示す構成に限定されるものではなく、複数の光源（ＬＤ等）から出力された光を合成して出力する構成であれば、どのような構成にも適用可能である。
【００１７】
図１に示す光源装置１は、第１の光源群１ａ、第２の光源群１ｂ、第３の光源群１ｃ、反射ミラーＭ１、ストライプ状ミラーＳ−Ｍ、レンズＬ１〜Ｌ９、拡散板Ｄ１及びＤ２、ダイクロイックミラーＤＭ１及びＤＭ２、蛍光体ホイールＹＰ、並びにライトトンネルＬＴ１及びＬＴ２を備える。
図１に示す光源装置１は、黄色光と青色光とを合成して白色光を生成する構成であり、青色光には青色ＬＤから出力される青色レーザー光を用い、黄色光は青色ＬＤから出力された青色レーザー光を励起光に用いて蛍光体で発光させる。図１に示す第１の光源群１ａ及び第２の光源群１ｂは、黄色光の生成に用いる光源群であり、第３の光源群１ｃは青色光の生成に用いる光源群である。
【００１８】
第１の光源群１ａ、第２の光源群１ｂ及び第３の光源群１ｃは、青色の波長域にピーク波長を有する青色レーザー光を出力する、格子状に配置された複数の青色ＬＤを備えている。ここでは、第１の光源群１ａ及び第２の光源群１ｂが備える複数の青色ＬＤをそれぞれ青色ＬＤ−Ｅと称し、第３の光源群１ｃが備える複数の青色ＬＤをそれぞれ青色ＬＤ−Ｂと称す。第１の光源群１ａ、第２の光源群１ｂ及び第３の光源群１ｃが備える各青色ＬＤ−Ｂから出力される青色レーザー光のピーク波長は、同一でもよく、異なっていてもよい。
【００１９】
反射ミラーＭ１（第１の反射ミラー）は、第１の光源群１ａが備える複数の青色ＬＤ−Ｅから出力された各青色レーザー光をレンズＬ１の方向へ反射する（レンズＬ１の方向へ光路を変更する）。
【００２０】
ストライプ状ミラーＳ−Ｍは、青色レーザー光を透過させる複数の透過面と青色レーザー光を反射する複数の反射面とが交互に配置された構成である。ストライプ状ミラーＳ−Ｍは、第２の光源群１ｂが備える複数の青色ＬＤ−Ｅから出力された青色レーザー光をレンズＬ１の方向へ反射し、反射ミラーＭ１で反射された青色レーザー光を透過させることで、第１の光源群１ａと第２の光源群１ｂから出力された各青色レーザー光を合成する。
【００２１】
レンズＬ１は、ストライプ状ミラーＳ−Ｍから出力された青色レーザー光をライトトンネルＬＴ１の入射開口部で集光する。レンズＬ１とライトトンネルＬＴ１との間の光路上には拡散板Ｄ１が配置され、該拡散板Ｄ１はレンズＬ１から入射された青色レーザー光を拡散して透過させる。
【００２２】
ライトトンネルＬＴ１は、入射された青色レーザー光を内部で繰り返し全反射させることで照度分布が均一となるようにして出力する。出射光の照度分布を均一にするには、ライトトンネルに代えて、内部が中空のガラスロッドから成る周知のロッドインテグレータを用いてもよい。
ライトトンネルＬＴ１から出力された光は、レンズＬ２により拡大されてダイクロイックミラーＤＭ１に照射される。
【００２３】
ダイクロイックミラーＤＭ１は、黄色光を透過させ、青色光を反射する特性を有し、レンズＬ２からダイクロイックミラーＤＭ１に照射された青色レーザー光は蛍光体ホイールＹＰの方向へ反射される。
ダイクロイックミラーＤＭ１と蛍光体ホイールＹＰの間の光路上にはレンズＬ３、Ｌ４及びＬ５が配置され、該レンズＬ３、Ｌ４及びＬ５によりダイクロイックミラーＤＭ１で反射した青色レーザー光が蛍光体ホイールＹＰ上に集光される。
【００２４】
蛍光体ホイールＹＰ上には、青色レーザー光を励起光に発光する蛍光体がリング状に設けられ、該蛍光体は青色レーザー光が照射されると黄色光を発光する。蛍光体ホイールＹＰは、モータを含む駆動部により回転することで、リング状に設けられた蛍光体に青色レーザー光が分散して照射される。
蛍光体ホイールＹＰで発光された黄色光は、レンズＬ５、Ｌ４及びＬ３を通過して平行光束に変換されてダイクロイックミラーＤＭ１へ入射され、ダイクロイックミラーＤＭ１を透過してレンズＬ６によりダイクロイックミラーＤＭ２に照射される。
【００２５】
一方、第３の光源群１ｃが備える複数の青色ＬＤ−Ｂから出力された青色レーザー光は、それぞれに対応して設けられたコリメータレンズＣＬ−Ｂで平行光束に変換されてレンズＬ８に入射される。
コリメータレンズＣＬ−Ｂで平行光束に変換されたレーザー光は、光の広がりが非常に少ない直進性が高い光である。一方、蛍光体で発光された黄色光は拡散光であるため、白色光の合成に用いる青色光と黄色光とは放射角度特性が異なる。そこで、図１に示す光源装置１では、レンズＬ８に入射された青色レーザー光を、該レンズＬ８により拡散板Ｄ２上で集光させ、拡散板Ｄ２により入射された青色レーザー光を拡散して透過させる。拡散板Ｄ２を透過した拡散後の青色レーザー光は、レンズＬ９により拡大されてダイクロイックミラーＤＭ２へ照射される。
【００２６】
ダイクロイックミラーＤＭ２は、黄色光を透過し、青色光を反射する特性を有し、レンズＬ６から照射された黄色光と、レンズＬ９から照射された青色レーザー光とを合成した白色光をレンズＬ７の方向へ出力する。
レンズＬ７は、入射された白色光をライトトンネルＬＴ２の入射開口部で集光する。ライトトンネルＬＴ２は、入射された白色光を繰り返し全反射させることで照度分布が均一となるようにして出力する。
ライトトンネルＬＴ２から出力された白色光は、例えば高速に回転するカラーホイールあるいはフィリップスプリズム等の色分離手段（不図示）によって赤、緑、青の色光に分離され、分離された色光毎に、映像信号にしたがって映像形成素子（不図示）により光変調することでカラー映像が形成される。映像形成素子で光変調された各色光は不図示の投写光学系により合成されて壁やスクリーン等に投写される。
【００２７】
このような構成において、本発明では図１に示したストライプ状ミラーＳ−Ｍを用いて第１の光源群１ａ及び第２の光源群１ｂから出力された光（ここでは青色レーザー光）を合成して高出力の光束を生成する。
【００２８】
上述したようにストライプ状ミラーＳ−Ｍは、複数の透過面と反射面とが交互に配置された構成であり、第１の光源群１ａ、第２の光源群１ｂ、反射ミラーＭ１及びストライプ状ミラーＳ−Ｍは、第１の光源群１ａから出力され反射ミラーＭ１で反射された光がストライプ状ミラーＳ−Ｍの透過面に照射され、第２の光源群１ｂから出力された光がストライプ状ミラーＳ−Ｍの反射面に照射されるように配置されている。例えば、第１の光源群１ａは、反射ミラーＭ１の方向へ青色レーザー光を出力するように配置され、第２の光源群１ｂは、ストライプ状ミラーＳ−Ｍの方向へ青色レーザー光を出力するように配置される。第１の光源群１ａ及び第２の光源群１ｂが備える各青色ＬＤ−Ｅは、例えば複数の透過面及び反射面と同じ間隔で配置される。また、第１の光源群１ａ及び第２の光源群１ｂの各青色ＬＤ−Ｅは、それぞれが出力する青色レーザー光の光軸がストライプ状ミラーの反射面及び透過面の配列方向に対して一列毎に交互に位置するように配置される。
【００２９】
このようなストライプ状ミラーＳ−Ｍを用いて第１の光源群１ａ及び第２の光源群１ｂから出力された青色レーザー光を合成することで、少ない部品数でも多数の光源から出力された光を合成できる。
【００３０】
また、本発明では、ストライプ状ミラーＳ−Ｍを小型化するための構成を提案する。具体的な構成を図２〜図４を用いて説明する。
図２は図１に示したストライプ状ミラーの小型化を実現する第２の光源群の一構成例を示す模式図であり、図３は図２に示した反射ミラーに対するレーザー光の入射形状の一例を示す模式図である。図４は、図１に示したストライプ状ミラーに対する各レーザー光の入射光の配置例を示す模式図である。図４の右図はストライプ状ミラーＳ−ＭのＸ方向及びＹ方向を定義した正面図であり、図４の左図はストライプ状ミラーＳ−Ｍが備える透過面及び反射面に対するレーザー光の入射配列の一例を示している。図２及び図４で示すように、ストライプ状ミラーＳ−ＭのＹ方向とは繰り返し配置される透過面及び反射面の配列方向であり、Ｘ方向とは該Ｙ方向と直交する方向である。
【００３１】
図２に示す構成において、第２の光源群１ｂは、複数の青色ＬＤ−Ｅが各々の発光面で平面を形成するように格子状に配列され、各青色ＬＤ−ＥにそれぞれコリメータレンズＣＬ−Ｅが取り付けられている。コリメータレンズＣＬ−Ｅは、青色ＬＤ−Ｅから出力された青色レーザー光を平行光束に変換する。
コリメータレンズＣＬ−Ｅから出力された複数の青色レーザー光は、格子状に配列された青色ＬＤ−Ｅの行または列毎に対応して設けられた、複数の反射ミラーＭ２から成る反射ミラー群ＭＧによってストライプ状ミラーＳ−Ｍの方向へ反射される。
コリメータレンズＣＬ−Ｅ及び反射ミラー群ＭＧは、図１に示した第１の光源群１ａにも設けられ、第１の光源群１ａから出力された複数の青色レーザー光は、反射ミラー群ＭＧによって反射ミラーＭ１の方向へ反射される。
【００３２】
反射ミラー群ＭＧの各反射ミラーＭ２は、ストライプ状ミラーＳ−ＭのＸ方向における各青色レーザー光の入射間隔が狭くなるように配置される。例えば、各反射ミラーＭ２の反射角度を順次変化させて反射方向を調整することでストライプ状ミラーＳ−Ｍに対する各青色レーザー光の入射間隔を狭くする。
同様に、第１の光源群１ａに設けた反射ミラー群ＭＧの各反射ミラーＭ２も、反射ミラーＭ１を介してストライプ状ミラーＳ−Ｍに対して入射される、ストライプ状ミラーＳ−ＭのＸ方向における各青色レーザー光の入射間隔が狭くなるように配置される。
【００３３】
このように第１の光源群１ａ及び第２の光源群１ｂにそれぞれ反射ミラー群ＭＧを設けることで、ストライプ状ミラーＳ−ＭのＸ方向における各青色レーザー光の入射間隔を狭くできる。そのため、ストライプ状ミラーＳ−ＭのＸ方向の幅を狭く形成できる。
【００３４】
また、本発明では、図３に示す各青色ＬＤ−Ｅから出力される青色レーザー光の形状を利用して、ストライプ状ミラーＳ−ＭのＹ方向の幅を狭く形成する。
図３に示すように、各青色ＬＤ−Ｅから出力される青色レーザー光は、長軸及び短軸を有する断面が楕円状の光束であり、コリメータレンズＣＬ−Ｅで平行光束に変換された青色レーザー光も、断面が楕円状のまま反射ミラー群ＭＧへ入射される。
図３に示すように、反射ミラーＭ２には、例えば楕円状の光束の長軸がＹ方向（短手方向）と一致し、光束の短軸がＸ方向（長手方向）と一致するように各青色レーザー光が入射される。また、反射ミラーＭ２には、光軸が反射ミラーＭ２のＹ方向の略中心に位置し、間隔が略均等となるように各青色レーザー光が入射される。
【００３５】
ここで、本発明では、図４に示すように、各青色レーザー光における楕円状の短軸がストライプ状ミラーＳ−ＭのＸ方向と一致するように、すなわちストライプ状ミラーＳ−Ｍの透過面及び反射面の配列方向の幅に各青色レーザー光の短軸がそれぞれ納まるように、第１の光源群１ａ及び第２の光源群１ｂ、反射ミラーＭ１、反射ミラー群Ｍ２、並びにストライプ状ミラーＳ−Ｍを配置する。この場合、図４で示すように、ストライプ状ミラーＳ−ＭのＹ方向の幅を狭く形成できる。
【００３６】
本発明によれば、ストライプ状ミラーＳ−Ｍを備えることで、高出力を実現するために多数の光源を必要とする場合でも、該多数の光源から出力された光束を少ない部品数で合成できる。
また、第１の光源群１ａ及び第２の光源群１ｂに反射ミラー群Ｍ２をそれぞれ備えることでストライプ状ミラーＳ−ＭのＸ方向の幅を狭くすることが可能であり、断面が楕円状の青色レーザー光の短軸がストライプ状ミラーＳ−ＭのＹ方向と一致するように第１の光源群１ａ及び第２の光源群１ｂ、反射ミラーＭ１、並びにストライプ状ミラーＳ−Ｍ等を配置することで、ストライプ状ミラーＳ−ＭのＹ方向の幅を狭くできる。この場合、ストライプ状ミラーＳ−Ｍのサイズ（表面積）を小さくできるため、第１の光源群１ａ及び第２の光源群１ｂから出力された複数の青色レーザー光を、よりコンパクトに、かつ効率よく合成できる。
【００３７】
なお、上記説明では、青色レーザー光を励起光に蛍光体で黄色光を生成する構成例を示したが、蛍光体は、赤色光を発光する赤色蛍光体と緑色光を発光する緑色蛍光体とを備えていてもよい。その場合、例えば図１に示した蛍光体ホイールＹＰに赤色蛍光体及び緑色蛍光体を配置し、赤色光及び緑色光を順次発光させればよい。
【００３８】
また、上記説明では、高光出力が得られる光源装置として、青色レーザー光を励起光に蛍光体を用いて黄色光を生成する構成例を示したが、高光出力が得られる光源装置には、赤、青、緑の各レーザー光をそれぞれ生成し、それらを合成して白色光を得る構成もある。本発明は、そのような赤、青、緑の光を合成する構成でも、同じ色光を生成する複数の光源から出力される光の合成に適用可能である。
【００３９】
さらに、上記説明では、２つの光源群（第１の光源群１ａ及び第２の光源群１ｂ）から出力された青色レーザー光を合成する例を示したが、合成する光源群の数は２つに限定されるものではない。例えば、図５に示すように、光源装置は、３つの光源群から出力されたレーザー光を合成する構成でもよい。
【００４０】
図５は、本発明の光源装置の変形例を示す模式図である。
図５に示す光源装置は、図１に示した光源装置１と同様に、第１の光源群から出力されたレーザー光を反射ミラーＭ１１で反射させ、第２の光源群から出力されたレーザー光をストライプ状ミラーＳ−Ｍで反射させ、さらに第３の光源群から出力されたレーザー光を反射ミラーＭ１２で反射させる構成である。この場合、レンズＬ１１には、ストライプ状ミラーＳ−Ｍで合成された第１の光源群から出力されたレーザー光及び第２の光源群から出力されたレーザー光、並びに第３の光源群から出力されたレーザー光がそれぞれ入射される。
【００４１】
また、光源装置は、４つの光源群から出力されたレーザー光を合成する構成としてもよい。その場合、図５に示した反射ミラーＭ１２に代えてストライプ状ミラーＳ−Ｍを配置し、該ストライプ状ミラーＳ−Ｍを透過するレーザー光を生成する第４の光源群及び反射ミラーを、第１の光源群及び反射ミラーＭ１１と対向する位置に配置すればよい。本発明の光源装置は、図１に示した第１の光源群及び第２の光源群の出力光を合成する構成（第１の光源群、第２の光源群、反射ミラー及びストライプ状ミラー）を複数備えていてもよい。
【符号の説明】
【００４２】
１ａ    第１の光源群
１ｂ    第２の光源群
１ｃ    第３の光源群
ＣＬ−Ｂ、ＣＬ−Ｅ    コリメータレンズ
Ｄ１、Ｄ２    拡散板
ＤＭ１、ＤＭ２    ダイクロイックミラー
Ｌ１〜Ｌ９、Ｌ１１    レンズ
ＬＤ、ＬＤ−Ｂ、ＬＤ−Ｅ    青色レーザーダイオード
ＬＴ１、ＬＴ２    ライトトンネル
Ｍ１、Ｍ２、Ｍ１１、Ｍ１２    反射ミラー
ＭＧ    反射ミラー群
Ｓ−Ｍ    ストライプ状ミラー
ＹＰ    蛍光体ホイール
【図１】
2017173356.tif 000003
【図２】
2017173356.tif 000004
【図３】
2017173356.tif 000005
【図４】
2017173356.tif 000006
【図５】
2017173356.tif 000007